(57)【要約】【課題】  暗証解錠ボタン装置と一体化した従来の構成を大きく変更すること無く、インターホン機器の選択肢を広げることができるインターホン機器取付ボックスを提供する。【解決手段】  玄関子機４及び暗証解錠ボタン５を埋込ボックス３に組み付けるための取付基板２と、玄関子機４の前面を露出させる露出窓１１を上部に設けると共に暗証解錠ボタン装置５の操作窓１２を下部に備え、取付基板２の前方を覆う前面パネル１とを有し、前面パネル１は玄関子機４の取付台６を収容する空間を備えて、玄関子機４は取付台６を介して取付基板２に組み付けられる。【選択図】  図１
2014068237.tif 000002
【特許請求の範囲】
【請求項１】
インターホン機器と暗証解錠ボタン装置とを埋込ボックスを使用して一体化して設置するためのインターホン機器取付ボックスであって、
前記インターホン機器及び前記暗証解錠ボタンを前記埋込ボックスに組み付けるための取付基板と、前記インターホン機器の前面を露出させる露出窓、及び前記暗証解錠ボタン装置の操作窓を備えて前記取付基板の前方を覆う前面パネルとを有し、
前記前面パネルは、前記インターホン機器を固定するための取付台を収容する空間を有し、前記インターホン機器は前記取付台を介して前記取付基板に組み付けられて成ることを特徴とするインターホン機器取付ボックス。
【請求項２】
前記露出窓は、前記インターホン機器の周囲側部に至る前面全体を露出させて、前記インターホン機器を露出窓を介して着脱可能とし、且つ前記取付台より小さいことを特徴とする請求項１記載のインターホン機器取付ボックス。
【請求項３】
前記インターホン機器に接続する配線を挿通する配線孔を、前記取付基板の前記インターホン機器取付部位の下方に設けたことを特徴とする請求項１又は２記載のインターホン機器取付ボックス。
【発明の詳細な説明】
【技術分野】
【０００１】
本発明は、ドアの電気錠を解錠するための暗証解錠ボタン装置とインターホン機器とを一体化する際に使用するインターホン機器取付ボックスに関する。
【背景技術】
【０００２】
インターホン機器である玄関子機にドアの電気錠を解錠するための暗証解錠ボタン装置を一体化させたものとして非特許文献１に記載されたものがある。この玄関子機は、埋設型の玄関子機の前面パネルを下方に延長形成して暗証解錠ボタン装置収納部を形成したものである。図６はこの暗証解錠ボタン付玄関子機を示し、（ａ）は正面図、（ｂ）は右側面図を示している。この図６に示すように、壁面に埋設された縦長の埋込ボックス２１に、玄関子機２２と暗証解錠ボタン装置２３とが共に背部を収納して組み付けられ、玄関子機２２の前面パネル２４を下方に延長して構成されている。
【０００３】
前面パネル２４には、玄関子機２２の呼出ボタン２５を露出させる開口部が設けられ、通話のためのマイク孔２６及びスピーカ孔２７が穿設されている。また、下部には暗証解錠ボタン装置２３の操作部２３ａを操作するための開口部２７が設けられ、上端が蝶着されて開口部２７を塞ぐ蓋板２８が設けられている。
このように、玄関子機２２と暗証解錠ボタン装置２３を同一の前面パネル２４内に込み込むことでデザイン上も統一でき、玄関周りの美観の向上に好ましいものとなっていた。
尚、暗証解錠ボタン装置と一体化せず、前面パネルを使用して設置される埋設型の玄関子機としては、例えば特許文献１に記載された構成のものがある。
【先行技術文献】
【非特許文献】
【０００４】
【非特許文献１】アイホン  総合カタログ  ２０１２−２０１４年版（９３頁）
【特許文献】
【０００５】
【特許文献１】特開２００５−１３６７００号公報
【発明の概要】
【発明が解決しようとする課題】
【０００６】
しかしながら、上記前面パネル２４は、背部が埋込ボックス２１に収納される埋設型玄関子機の前面パネルであるため、埋設専用の玄関子機にしか対応できず、故障等で玄関子機のみ交換しようとした場合、露出型の玄関子機に比べて選択肢が少なく、利用者を満足させることができない場合があった。そのような場合、利用者によっては暗証解錠ボタン装置も含めて全体を交換することがあり、コスト増を招いていた。
【０００７】
そこで、本発明はこのような問題点に鑑み、暗証解錠ボタン装置と一体化した従来の構成を大きく変更すること無く、玄関子機の選択肢を広げることができるインターホン機器取付ボックスを提供することを目的としている。
【課題を解決するための手段】
【０００８】
上記課題を解決する為に、請求項１の発明は、インターホン機器と暗証解錠ボタン装置とを埋込ボックスを使用して一体化して設置するためのインターホン機器取付ボックスであって、インターホン機器及び暗証解錠ボタン装置を埋込ボックスに組み付けるための取付基板と、インターホン機器の前面を露出させる露出窓、及び暗証解錠ボタン装置の操作窓を備えて取付基板の前方を覆う前面パネルとを有し、前面パネルは、インターホン機器を固定するための取付台を収容する空間を有し、インターホン機器は取付台を介して取付基板に組み付けられて成ることを特徴とする。
この構成によれば、インターホン機器を取付台を介して取付基板に組み付けできるし、前面パネルはインターホン機器の前面を露出させるため、露出型のインターホン機器を使用できる。よって、暗証解錠ボタン装置と一体化した構成であっても、インターホン機器の選択肢を拡大でき、使用者の要求を満たすことができる。
また、前面パネルは、従来の前面パネルに対してインターホン機器を露出させる開口部を新たに設ける程度で、暗証解錠ボタン装置の操作窓は従来と同様に配置でき、大きく変更すること無く対応できる。よって、従来の暗証解錠ボタン装置と一体型のインターホン機器を更新する場合でも、構成を大きく変更することがなく安価に対応できる。そして、露出型のインターホン機器を使用しても、取付台は前面パネル内に収容されるため、美観を維持できる。
【０００９】
請求項２の発明は、請求項１に記載の構成において、露出窓は、インターホン機器の周囲側部に至る前面全体を露出させて、インターホン機器を露出窓を介して着脱可能とし、且つ取付台より小さいことを特徴とする。
この構成によれば、インターホン機器の側部に至る前面全体が露出されるため、マイクやスピーカ周りの音響環境が変化することがなく、ハウリングが発生し易くなることも無い。また、露出窓は取付台より小さいため取付台は前面パネルにより隠蔽され、美観の向上を図ることができる。
更に、前面パネルを取付基板に取り付けた状態で露出窓からインターホン機器を着脱できるため、インターホン機器のメンテナンスやカメラの調整がし辛くなることもない。
【００１０】
請求項３の発明は、請求項１又は２に記載の構成において、インターホン機器に接続する配線を挿通する配線孔を、取付基板のインターホン機器取付部位の下方に設けたことを特徴とする。
この構成によれば、取付基板のインターホン機器背部には配線孔を設けないため、インターホン機器の背部を密閉することが可能となる。その結果、インターホン機器に対して背部からの雨水の浸入を防止できるし、結露が発生し難い構造にできる。
更に、インターホン機器の下方に配線孔を設けることで、万一インターホン機器に水が入ってしまっても、配線を伝わせて配線孔から排出させることが可能となる。
【発明の効果】
【００１１】
本発明によれば、インターホン機器を取付台を介して取付基板に組み付けできるし、前面パネルはインターホン機器の前面を露出させるため、露出型のインターホン機器を使用できる。よって、暗証解錠ボタン装置と一体化した構成であっても、インターホン機器の選択肢を拡大でき、使用者の要求を満たすことができる。
また、前面パネルは、従来の前面パネルに対してインターホン機器を露出させる開口部を新たに設ける程度で、暗証解錠ボタン装置の操作窓は従来と同様に配置でき、大きく変更すること無く対応できる。よって、従来の暗証解錠ボタン装置と一体型のインターホン機器を更新する場合でも、構成を大きく変更することがなく安価に対応できる。そして、露出型のインターホン機器を使用しても、必要部位以外は前面パネルで覆うことで、美観を維持することができる。
【図面の簡単な説明】
【００１２】
【図１】本発明に係るインターホン機器取付ボックスの一例を示し、（ａ）はインターホン機器及び暗証解錠ボタン装置を組み付けた正面図、（ｂ）は右側面図である。
【図２】前面パネルを示し、（ａ）は正面図、（ｂ）は底面図である。
【図３】取付基板を示し、（ａ）は正面図、（ｂ）は右側面図である。
【図４】取付基板の底面図である。
【図５】取付台を示し、（ａ）は正面図、（ｂ）はＡ−Ａ線断面図である。
【図６】従来のインターホン機器取付ボックスを示し、（ａ）は正面図、（ｂ）は右側面図である。
【発明を実施するための形態】
【００１３】
以下、本発明を具体化した実施の形態を、図面を参照して詳細に説明する。図１は本発明に係るインターホン機器取付ボックスの一例を示す説明図であり、（ａ）は正面図、（ｂ）は右側面図を示している。何れもインターホン機器である玄関子機及び暗証解錠ボタン装置を組み付けた状態を示している。
インターホン機器取付ボックスは、前面パネル１と、取付基板２と、埋込ボックス３とで構成され、上記図６の形態と同様に、埋込ボックス３は壁面に埋設され、前面パネル１が埋込ボックス３を塞ぎ壁面上に露出設置される。上部に玄関子機４が収容され、下部に暗証解錠ボタン装置５が収容されている。
【００１４】
収容された玄関子機４は、居住者を呼び出すための呼出ボタン４ａ、来訪者を撮像するカメラ４ｂ、通話するためのマイク４ｃ及びスピーカ４ｄを備え、住戸内に設置された図示しない居室親機との間で呼出／通話を可能としている。また、この玄関子機４は壁面に単独での設置を可能とした露出型の玄関子機であり、取付台６を使用して壁面に設置される。
一方、収容された暗証解錠ボタン装置５は、１から５の数値を組み合わせた暗証番号を入力して図示しないドアを解錠操作するファイブキー式の解錠装置である。
【００１５】
図２は前面パネル１を示し、（ａ）は正面図、（ｂ）は底面図である。前面パネル１は合成樹脂又はアルミ等の金属で形成され、取付基板２及び埋込ボックス３を閉塞する寸法で形成されている。そして、図２に示すように、前面１ａ、左右側面１ｂ及び底面１ｃ、そして図示しない上面を有し、取付台６を収容する内部空間を有している。
前面１ａには、上部に玄関子機４の前面を露出させる露出窓１１が開口形成されている。この露出窓１１は、玄関子機４の外寸に合わせて形成され、玄関子機４の周囲側部に至る前面全体を露出させるよう形成され、前面パネル１を装着した状態で玄関子機４の着脱を可能としている。但し、玄関子機４より一周り大きい寸法で形成されている取付台６よりは小さい大きさで形成され、取付台６は前方に露出しないよう形成されている。
【００１６】
前面パネル１の下部には、暗証解錠ボタン５を操作するための操作窓１２が開口形成されている。操作窓１２には上端が蝶着された蓋板１３が取り付けられ、使用時のみ開放されるよう構成されている。また底面１ｃには、取付基板２にネジ止めするための透孔１４が中央に設けられている。尚、上面の背部には、取付基板２に係止する爪片（図示せず）が設けられている。
【００１７】
図３，図４は取付基板２を示し、図３（ａ）は正面図、図３（ｂ）は右側面図、図４は底面図である。取付基板２はステンレス等の金属で形成され、４隅に埋込ボックス３に固定するためのネジ挿通孔２ａが設けられ、中央上部には上下２箇所に取付台６を組み付けるためのネジ孔２ｂが設けられている。
下部には暗証解錠ボタン装置５を収容する開口部２ｄ、開口部２ｄの左右に暗証解錠ボタン装置５を固定するネジ孔２ｅが設けられている。また、２ｆは玄関子機４に接続する配線が挿通される配線孔であり、玄関子機４を組み付ける部位の下方に形成されている。更に図４に示すように、折り曲げ形成した底面板２ｇを有し、その中央には前面パネル１をネジ止めするためのネジ孔２ｈが設けられている。
尚、２ｃは突起であり、取付台６の位置決めのために形成され、取付台６の側部に合わせて縦長に形成されている。
【００１８】
図５は取付台６を示し、（ａ）は正面図、（ｂ）はＡ−Ａ線断面図である。取付台６は枠状に形成され、底部は大きく開口形成されている。周囲枠部の内壁に沿って段部６ａが周設され、この段部６ａの前面側が玄関子機４の収容部となっている。そして、奥部には取付基板２にネジ止めするための透孔６ｂが設けられている。尚、下側枠部には玄関子機４への配線を挿通するための溝（図示せず）が設けられている。
【００１９】
このように構成されたインターホン機器取付ボックス、及び玄関子機４等の取付手順を次に説明する。但し、壁面に埋込ボックス３が設置され、玄関子機４及び暗証解錠ボタン装置５の配線が壁面内部から埋込ボックス３内に配設されているものとする。
先ず、玄関子機４及び暗証解錠ボタン装置５を取付基板２に装着する。玄関子機４は、取付台６を取付基板２に組み付けた後、取付台６にネジ止めされる。取付台６は、上述した上下２箇所がネジ止めされて装着され、玄関子機４は所定部が取付台６の背部からネジ止めされて固定される。一方、暗証解錠ボタン装置５は左右４箇所がネジ止めされて取付基板２に固定される。
【００２０】
次に、玄関子機４及び暗証解錠ボタン装置５に配線を接続する。玄関子機４への配線は、配線孔２ｆに背部から配線を挿通した後、下方から取付台６の内部に挿通して、玄関子機４の背面の所定の端子に接続される。配線を接続したら、取付基板２を埋込ボックス３に取り付ける。尚、玄関子機４や暗証解錠ボタン装置５への配線の接続は、機器を取付基板２に組み付ける前であっても良い。
【００２１】
最後に、前面パネル１を取付基板２に装着して、取り付けは終了となる。この取付操作は、前面パネル１の上端を係止した後、下端の透孔１４と取付基板２のネジ孔２ｈの間でネジ止めを行うことで実施される。
【００２２】
このように、インターホン機器である玄関子機４を取付台６を介して取付基板２に組み付けできるし、前面パネル１は玄関子機４の前面を露出させるため、露出型の玄関子機４を使用できる。よって、暗証解錠ボタン装置５と一体化した構成であっても、玄関子機４の選択肢を拡大でき、使用者の要求を満たすことができる。また、露出型の玄関子機４を使用しても取付台６は前面パネル１内に収容されるため、隠蔽することができ、美観の向上を図ることができる。
更に、玄関子機４の側部に至る前面全体が露出されるため、マイク４ｃやスピーカ４ｄ周りの音響環境が変化することがなく、ハウリングが発生し易くなることも無い。また、前面パネル１を取付基板２に取り付けた状態で露出窓からインターホン機器を着脱できるため、インターホン機器のメンテナンスやカメラの調整がし辛くなることもない。
また、取付基板２の玄関子機４背部には配線孔を設けないため、玄関子機の背部を密閉することが可能となり、玄関子機４に対して背部からの雨水の浸入を防止できるし、結露が発生し難い構造にできる。そして、玄関子機４の下方に配線孔２ｆを設けることで、玄関子機４に水が入ってしまっても、配線を伝わせて配線孔２ｆから排出させることが可能となる。
【００２３】
以上は新規に設置する場合を説明したが、既存の暗証解錠ボタン付玄関子機を交換する場合は、以下のようである。この場合、玄関子機に加えて前面パネル及び取付基板が交換され、埋込ボックス３及び暗証解錠ボタン装置５は引き続き使用する。
先ず、既存の前面パネルを取り外し、玄関子機や暗証解錠ボタン装置５が組み付けられている取付基板を埋込ボックス３から取り外す。更に、取付基板から暗証解錠ボタン装置５を取り外す。
こうして取り外したら、新しい露出型の玄関子機４と既存の暗証解錠ボタン装置５を新たに用意した上記図３に示す取付基板２に組み付ける。この組み付け操作、更にその後の前面パネル１の取り付けは上述した通りであり、簡易な操作で玄関子機４を交換できる。
【００２４】
このように、前面パネル１は、従来の前面パネルに対して玄関子機４を露出させる開口部である露出窓１１を新たに設ける程度で、暗証解錠ボタン装置５の操作窓１２は従来と同様に配置でき、大きく変更すること無く対応できる。そのため、従来の一体型（暗証解錠ボタン付玄関子機）を更新する場合でも、構成を大きく変更することがなく安価に対応できる。そして、露出型の玄関子機４を使用しても、玄関子機４を設置するための取付台６は前面パネル１で覆うため、美観を維持できる。
【００２５】
尚、新規に設置する場合は、玄関子機４は露出型であるため、埋込ボックス３は玄関子機４の背部には無くてても良く、配線孔２ｆ及び暗証解錠ボタン装置５の背部のみとしても良い。また、暗証解錠ボタン装置５はファイブキー式に限定するものではなく、玄関子機４を交換する場合は既存の暗証解錠ボタン装置を使用すれば良いし、新規の場合は寸法の合致する任意の暗証解錠ボタン装置を組み付ければ良い。
【符号の説明】
【００２６】
１・・前面パネル、２・・取付基板、２ｆ・・配線孔、３・・埋込ボックス、４・・玄関子機（インターホン機器）、５・・暗証解錠ボタン装置、６・・取付台、１１・・露出窓、１２・・操作窓。
【図１】
2014068237.tif 000003
【図２】
2014068237.tif 000004
【図３】
2014068237.tif 000005
【図４】
2014068237.tif 000006
【図５】
2014068237.tif 000007
【図６】
2014068237.tif 000008